【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
第１光源装置及び第２光源装置と、
前記第１光源装置から射出される光と前記第２光源装置から射出される光とを合成し、所定の方向に向けて射出する光合成部と、
前記光合成部からの光の面内光強度分布を均一にするレンズインテグレーター光学系とを備える照明装置であって、
前記光合成部は、
前記第１光源装置の光軸、前記第２光源装置の光軸及び前記照明装置の光軸（以下、前記照明装置の光軸のことを照明光軸という。）の全てに対して平行な平面を基準平面としたときにおいて、前記基準平面に直交する方向に沿って見たとき、
前記第１光源装置側に配置され、前記照明光軸に対して略４５°の角度で配置される第１偏光分離合成面を有する第１偏光分離合成部と、
前記第２光源装置側に配置され、前記照明光軸に対して略４５°の角度で配置され、かつ、前記第１偏光分離合成面と略垂直に配置される第２偏光分離合成面を有する第２偏光分離合成部と、
前記光合成部が光を射出する方向とは反対側に配置される反射ミラーと、
前記反射ミラーと、前記第１偏光分離合成部及び前記第２偏光分離合成部との間に配置されるλ／４板とを有し、
前記照明装置は、前記第１光源装置から射出される光と、前記第２光源装置から射出される光とが、前記レンズインテグレーター光学系の第１レンズアレイにおいて略同一の領域に入射することを特徴とする照明装置。
【請求項２】
請求項１に記載の照明装置において、
前記第１偏光分離合成面は、一方の偏光からなる光を通過させ、他方の偏光からなる光を反射し、
前記第２偏光分離合成面は、一方の偏光からなる光を反射し、他方の偏光から
なる光を通過させ、
前記反射ミラー及び前記λ／４板を偏光変換反射部としたとき、
前記第１光源装置から射出される光のうち一方の偏光からなる光は、前記第１偏光分離合成面を通過した後に、前記第２偏光分離合成面で前記第１レンズアレイに向けて反射され、
前記第１光源装置から射出される光のうち他方の偏光からなる光は、前記第１偏光分離合成面で前記偏光変換反射部に向けて反射された後に、前記偏光変換反射部によって、一方の偏光からなる光として前記第１レンズアレイに向けて反射され、
前記第２光源装置から射出される光のうち一方の偏光からなる光は、前記第２偏光分離合成面で前記偏光変換反射部に向けて反射された後に、前記偏光変換反射部によって、他方の偏光からなる光として前記第１レンズアレイに向けて反射され、
前記第２光源装置から射出される光のうち他方の偏光からなる光は、前記第２偏光分離合成面を通過した後に、前記第１偏光分離合成面で前記第１レンズアレイに向けて反射され、
前記第１光源装置から一方の偏光からなる光として射出される光と、前記第２光源装置から一方の偏光からなる光として射出される光とは、前記第１レンズアレイにおいて略同一の領域に入射し、
前記第１光源装置から他方の偏光からなる光として射出される光と、前記第２光源装置から他方の偏光からなる光として射出される光とは、前記第１レンズアレイにおいて略同一の領域に入射することを特徴とする照明装置。
【請求項３】
請求項１に記載の照明装置において、
前記第１偏光分離合成面は、一方の偏光からなる光を通過させ、他方の偏光からなる光を反射し、
前記第２偏光分離合成面は、一方の偏光からなる光を反射し、他方の偏光からなる光を通過させ、
前記反射ミラー及び前記λ／４板を偏光変換反射部としたとき、
前記第１光源装置から射出される光のうち一方の偏光からなる光は、前記第１偏光分離合成面を通過し、前記第２偏光分離合成面で前記偏光変換反射部に向けて反射された後に、前記偏光変換反射部によって、他方の偏光からなる光として前記第１レンズアレイに向けて反射され、
前記第１光源装置から射出される光のうち他方の偏光からなる光は、前記第１偏光分離合成面で前記第１レンズアレイに向けて反射され、
前記第２光源装置から射出される光のうち一方の偏光からなる光は、前記第２偏光分離合成面で前記第１レンズアレイに向けて反射され、
前記第２光源装置から射出される光のうち他方の偏光からなる光は、前記第２偏光分離合成面を通過し、前記第１偏光分離合成面で前記偏光変換反射部に向けて反射された後に、前記偏光変換反射部によって、一方の偏光からなる光として前記第１レンズアレイに向けて反射され、
前記第１光源装置から一方の偏光からなる光として射出される光と、前記第２光源装置から一方の偏光からなる光として射出される光とは、前記第１レンズアレイにおいて略同一の領域に入射し、
前記第１光源装置から他方の偏光からなる光として射出される光と、前記第２光源装置から他方の偏光からなる光として射出される光とは、前記第１レンズアレイにおいて略同一の領域に入射することを特徴とする照明装置。
【請求項４】
請求項１に記載の照明装置において、
前記照明装置は、前記第１偏光分離合成部と前記第２偏光分離合成部との間に配置されるλ／２板をさらに有し、
前記第１偏光分離合成面は、一方の偏光からなる光を通過させ、他方の偏光からなる光を反射し、
前記第２偏光分離合成面は、一方の偏光からなる光を通過させ、他方の偏光からなる光を反射し、
前記反射ミラー及び前記λ／４板を偏光変換反射部としたとき、
前記第１光源装置から射出される光のうち一方の偏光からなる光は、前記第１偏光分離合成面を通過し、前記λ／２板で他方の偏光からなる光に変換された後に、前記第２偏光分離合成面で前記第１レンズアレイに向けて反射され、
前記第１光源装置から射出される光のうち他方の偏光からなる光は、前記第１偏光分離合成面で前記偏光変換反射部に向けて反射された後に、前記偏光変換反射部によって、一方の偏光からなる光として前記第１レンズアレイに向けて反射され、
前記第２光源装置から射出される光のうち一方の偏光からなる光は、前記第２偏光分離合成面を通過し、前記λ／２板で他方の偏光からなる光に変換された後に、前記第１偏光分離合成面で前記第１レンズアレイに向けて反射され、
前記第２光源装置から射出される光のうち他方の偏光からなる光は、前記第２偏光分離合成面で前記偏光変換反射部に向けて反射された後に、前記偏光変換反射部によって、一方の偏光からなる光として前記第１レンズアレイに向けて反射され、
前記第１光源装置から一方の偏光からなる光として射出される光と、前記第２光源装置から他方の偏光からなる光として射出される光とは、前記第１レンズアレイにおいて略同一の領域に入射し、
前記第１光源装置から他方の偏光からなる光として射出される光と、前記第２光源装置から一方の偏光からなる光として射出される光とは、前記第１レンズアレイにおいて略同一の領域に入射することを特徴とする照明装置。
【請求項５】
請求項１に記載の照明装置において、
前記照明装置は、前記第１偏光分離合成部と前記第２偏光分離合成部との間に配置されるλ／２板をさらに有し、
前記第１偏光分離合成面は、一方の偏光からなる光を通過させ、他方の偏光からなる光を反射し、
前記第２偏光分離合成面は、一方の偏光からなる光を通過させ、他方の偏光からなる光を反射し、
前記反射ミラー及び前記λ／４板を偏光変換反射部としたとき、
前記第１光源装置から射出される光のうち一方の偏光からなる光は、前記第１偏光分離合成面を通過し、前記λ／２板で他方の偏光からなる光に変換され、前記第２偏光分離合成面で前記偏光変換反射部に向けて反射された後に、前記偏光変換反射部によって、一方の偏光からなる光として前記第１レンズアレイに向けて反射され、
前記第１光源装置から射出される光のうち他方の偏光からなる光は、前記第１偏光分離合成面で前記第１レンズアレイに向けて反射され、
前記第２光源装置から射出される光のうち一方の偏光からなる光は、前記第２偏光分離合成面を通過し、前記λ／２板で他方の偏光からなる光に変換され、前記第１偏光分離合成面で前記偏光変換反射部に向けて反射された後に、前記偏光変換反射部によって、一方の偏光からなる光として前記第１レンズアレイに向けて反射され、
前記第２光源装置から射出される光のうち他方の偏光からなる光は、前記第２偏光分離合成面で前記第１レンズアレイに向けて反射され、
前記第１光源装置から一方の偏光からなる光として射出される光と、前記第２光源装置から他方の偏光からなる光として射出される光とは、前記第１レンズアレイにおいて略同一の領域に入射し、
前記第１光源装置から他方の偏光からなる光として射出される光と、前記第２光源装置から一方の偏光からなる光として射出される光とは、前記第１レンズアレイにおいて略同一の領域に入射することを特徴とする照明装置。
【請求項６】
請求項１〜５のいずれかに記載の照明装置において、
前記第１偏光分離合成部及び前記第２偏光分離合成部は、プリズム型の偏光ビームスプリッターからなることを特徴とする照明装置。
【請求項７】
請求項１〜５のいずれかに記載の照明装置において、
前記第１偏光分離合成部及び前記第２偏光分離合成部は、ワイヤーグリッド型の偏光板からなることを特徴とする照明装置。
【請求項８】
請求項１〜７のいずれかに記載の照明装置において、
前記基準平面に直交する方向に沿って見たとき、
前記第１光源装置の光軸と前記照明光軸との間の角度をＲ１とし、前記第２光源装置の光軸と前記照明光軸との間の角度をＲ２としたとき、
前記第１光源装置及び前記第２光源装置は、「Ｒ１＝Ｒ２」かつ「Ｒ１＜９０°」となるように配置され、
前記第１光源装置から一方の偏光からなる光として射出される光と、前記第１光源装置から他方の偏光からなる光として射出される光と、前記第２光源装置から一方の偏光からなる光として射出される光と、前記第２光源装置から他方の偏光からなる光として射出される光とは、前記第１レンズアレイにおいて略同一の領域に入射することを特徴とする照明装置。
【請求項９】
請求項１〜８のいずれかに記載の照明装置において、
前記第１光源装置及び前記第２光源装置を一対の光源装置としたとき、
前記照明装置は、二対以上の光源装置を備えることを特徴とする照明装置。
【請求項１０】
請求項１〜９のいずれかに記載の照明装置と、
前記照明装置からの照明光を画像情報に応じて変調する光変調装置と、
前記光変調装置からの変調光を投写画像として投写する投写光学系とを備えることを特徴とするプロジェクター。